(57)【特許請求の範囲】
【請求項１】
装着者の頭部を覆いうる帽体と、この帽体の前部に突設された前方つば部と上記帽体の側部に形成されると共に前方つば部から延設され装着者の耳を覆いうる耳保護部と、上記帽体の後部に形成されると共に上記耳保護部に延設された後方つば部とを有し、上記前方つば部は、水平方向に対して０°以上４５°以下の角度で前方上向きに延伸し、上記後方つば部は、水平方向に対して１０°以上６０°以下の角度で後方下向きに延伸し、上記後方つば部は、上記前方つば部よりも帽体半径方向の寸法が長くなるように形成されている消防用安全帽であって、
上記帽体内方前部には、顔面を覆いうると共に装着者が外方を視認しうる顔面保護板が内装されており、不要時には帽体内側に収納可能に形成されていると共に顔面保護板を引き下ろした場合には顔面を保護し、上記帽体に遮蔽布を装着した場合には、顔面保護板の下端部が遮蔽布の係止部を形成するように構成されていることを特徴とする消防用安全帽。
【請求項２】
上記顔面保護板の下端部には前方へ突出するつば部が形成され、上記顔面保護板が引き上げられた場合には上記つば部が上記前方つば部を形成すると共に顔面保護板が引き下げられた場合には上記つば部が遮蔽布係止部として形成されていることを特徴とする請求項１記載の消防用安全帽。
【請求項３】
装着者の頭部を覆いうる帽体と、この帽体前部に突設された前方つば部とを有し、上記帽体の後方下縁部は帽体上方へ湾曲する開口部を画成し、この後方下縁部には後方へ突出する後方つば部が形成され、上記前方つば部と後方つば部との間には、装着者の耳の略全体を覆いうる耳保護部が形成されていることを特徴とする消防用安全帽。
【請求項４】
顔面保護板が帽体外方に装着され、上記耳保護部には顔面保護板を回動可能に固定しうる固定部が設けられ、非使用時には顔面保護板が帽体の上部外方に配置されると共に、使用時には顔面保護板が上記固定部を中心に回動し、上記前方つば部に上端部が密接した状態で装着者の顔面の略全体を被覆し、上記耳保護部には、前方つば部に連設されると共に前方つば部に流下した水を耳保護部の後方へ導く排水部が形成されていることを特徴とする請求項３記載の消防用安全帽。
【請求項５】
上記顔面保護板は、帽体内方に装着されている請求項３記載の消防用安全帽。
【請求項６】
上記顔面保護板の下端部には前方へ突出するつば部が形成され、顔面保護板を上げた状態の場合には上記つば部が帽体の前方つば部を形成するように構成されている請求項５記載の消防用安全帽。
【請求項７】
上記顔面保護板は帽体外方に装着され、顔面保護板の下端部には前方へ突出するつば部が形成され、顔面保護板を上げた状態の場合には上記つば部が帽体の前方つば部を形成するように構成されている請求項３記載の消防用安全帽。
【発明の詳細な説明】
【０００１】
【発明の属する技術分野】
本発明は、消防隊員が主として火災現場において着装する、一般には「防火帽」と呼ばれる消防用安全帽の改良に関する。
【０００２】
【従来の技術】
消防隊員は火災現場において、輻射熱・対流熱・落下物・落下水等を避ける目的で、消防用安全帽と呼ばれる消防用安全帽を装着して消火作業に従事する。このような消防用安全帽には、顔面下半部及び首の周囲を覆いうる、一般に「しころ」と呼ばれる防火性能の高い遮蔽布を装着して消火作業を行う。
【０００３】
従来、このような消防用安全帽は、ほぼ半球形の産業用安全帽に落下水等を体から避けるため、帽体部から略水平又はやや下方に傾斜した角度で突出するはばの広いつばを一体成形したものに、すその広がった遮蔽布を装着して形成されていた（意匠２５２９３号参照）。 また、つば部が形成されてない、いわゆる「ＭＰ型」の産業用安全帽に、ほぼ同形の遮蔽布を取り付けて使用するものもあった。なお、以下、用語等の定義については、「産業用安全帽」の構造にかかる用語、ＪＩＳ規格Ｔ８１３１に準ずるものを用いる。
【０００４】
【発明の解決しようとする課題】
しかしながら、従来の消防用安全帽には、次のような不具合があった。
昭和４０年代以降の消防職員は、その多くが自給式空気呼吸器を標準的な装備としており、これの空気ボンベを背中に背負うことが一般となっている。この場合、体の自由な運動を確保するためには、約５０センチメートルから６０センチメートルで５キログラム程度となるこうしたボンベを、出来るかぎり上方に位置させて背負う必要があり、円筒形のボンベの上端は肩と略並ぶ位置となる。なお、空気呼吸器の用語等については、ＪＩＳ規格Ｔ８１５５「空気呼吸器」のものに準ずる。
【０００５】
従来の消防用安全帽には上述のように幅の広いつばが形成されているため、例えば、消防隊員が上方を見るために首を後ろへ傾けた際に、つばの頭部後方部が頭を空気ボンベの上端に衝接してしまい、それ以上首を傾けられず上方を向くことができないため、消防隊員が自由な姿勢がとれず、その結果、行動が制限される場合があった。
【０００６】
この場合、つばの後端部分のみを削って短くしたり、あるいは成形上の変更によって後部のつばを無くすなどの変更を加えるといった工夫もされていたが、落下水があった場合には首筋からの落下水が侵入することとなってしまうと共に、落下物に対して安全ではない。
【０００７】
また、上記の従来の消防用安全帽のつばの前方部は、略水平の角度で形成されているために、消防隊員が装着時に上方を見る場合、角度によっては上方の視界をさえぎられてしまう場合が多かった。この点に関し、つばの前方部分を削って短くしたり、あるいは成形上の変更によって短くする等の工夫も行われていた。
【０００８】
しかしながら、つば前部は顔面を落下物から保護するものであるため、単純に短くしただけでは着装者に対して著しい不安感を与え、さらに顔面への落下水の増加をまねく結果となった。このため、十分な視界と安全性及び快適性を兼ね備えた消防用安全帽は、これまで存在しない状況であった。
【０００９】
消防用安全帽に装着して使用する遮蔽布は、一般に、首から肩及び顔面下半部を覆いうる幅に形成された布を消防用安全帽の下端部にホック等の適宜手段により固定し、遮蔽布の両端部を顔面部において接合して使用できるように形成されている。即ち、両端部を接合せずに開いた状態では落下する水や物を肩あるいは背中の側に導き、両端部を接合して閉じた状態では炎や輻射熱を防ぐように構成されている。
【００１０】
このような遮蔽布は、現在、耐火性・耐切創性の観点から、アラミド繊維などの難燃繊維で作られており、布素材の柔軟性に欠けるため、開いた状態では肩との間に大きな間隙が形成されてしまうと共に、閉じて使用した状態では装着者の頭部の自由な挙動を妨げる場合が多かった。  従って、開閉状態に応じた安全性と運動性を兼ね備えた遮蔽布を備えた消防用安全帽は従来存在しなかった。
【００１１】
さらに、一般的に消防用安全帽は、顔面保護板と呼ばれる透明な樹脂の板を備えている。このような顔面保護板は、いわゆるＭＰ型等の、眉間より上方の頭部を保護するように形成された形状のヘルメットに、例えば、帽体側方部に回動可能に枢支して外装した場合には、回動中心部が眉間を含んで形成される水平面よりも上方に位置し消防用安全帽の重心位置が上方へ移動してしまうことから消防隊員の頭部及び、頭部を支える首部に負担がかかり、顔面保護板を跳ね上げた状態での消防隊員の迅速な作業行動に支障を来す、という不具合がある（例えば、実公昭４９−００９６７７２参照）。
【００１２】
一方、顔面保護板を消防用安全帽に内装可能とした考案については、例えば、特許２８３９２４０号などがある。この場合、消防隊員は一般的に、「面体」と呼ばれる、輻射熱から顔面を保護するため顔面を覆うマスクをかぶるが、この面体を着用せずに顔面保護板と遮蔽布の組み合わせによって輻射熱を防ごうとする場合には、顔面保護板が平均的な顔面長さ（眉間から顎先までの間で成人男子の平均が１４．５ｃｍ：通商産業省工業技術院生命工業技術研究所編纂「設計のための人体寸法データ集」１９９６年刊行参照。）より短くなってしまう（眉間から頭頂部までの高さは、成人男性の平均で１００ｍｍ程度しかなく、ここに顔面保護版をしまうにはさまざまに工夫しても顔面長さに及ばない）ために、遮蔽布の前の部分を面ファスナー等で止めて保護を行っていた。
【００１３】
ところがこうした場合には、顔面保護板が顔より比較的離れており、かつ短いために、遮蔽布により十分に顔面を被覆するようにした場合には遮蔽布によって視界がさえぎられ、下方視界は１５°程度となり、消防隊員の活動に支障を及ぼす結果となっていた。
【００１４】
この場合、例えば、ヨーロッパ統一消防装備規格ＥＮ４４３：１９９７、及び米国連邦防火協会による消防隊員の個人装備基準ＮＦＰＡ１９７１／１９９７によれば、いずれも消防隊員が活動に十分な視界を得るためには下方視界が４５°以上必要であると定められている。
【００１５】
従って、遮蔽布は空気呼吸器の面体を着用する際にも同一のものを用いるため、近年の改良により空気呼吸器の面体の視界が増大しているにもかかわらず、例えば、火災の状況が深刻であり、遮蔽布を閉じて使用した場合に一方で視界が悪くなり、消防活動に支障を来す、という不具合があった。
【００１６】
このような問題点を解決するために、頭部全体を覆う形の帽体に、内装の顔面保護板を備えて全体のバランスがとれるようにし、かつ保護範囲を広げたものが考案されている（意匠７２５４２７号「吸入器付きヘルメット」参照）。
【００１７】
この消防用安全帽においては、顔面保護板は内装されているため、上記問題点は解消されており、遮蔽布の前とじがほとんど不要にはなるものの、頚部まで密着した形でなければバランスがとれず、延髄部分まで覆った構造になっているため寸法に余裕がない。このため、消防隊員が通常用いる空気呼吸器用の面体のしめひもが、全面型・半面型いずれについても使用することができず、無理に使用しようとするとヘルメットが浮き上がってしまい、安全性の面から専用の外付けの面体のみ使用が可能であった。しかし、ヘルメットの外側から面体をあてがう構造に形成された特殊な面体は、頭部の外寸の個人差に対応しておらず、着用する人間の顔の形に合わせて密着させることができる全面型・半面型の面体に比べるとやはり安全性の面で問題があった。
【００１８】
さらに、このヘルメットにおいては、顔面の形に合わせた顔面保護板を額から後頭部にかけての帽体内側に収納しており、帽体と衝撃吸収ライナーの間に１０ｍｍ前後の余裕を必要とする。このため同じサイズの安全帽にくらべて衝撃吸収ライナーの厚みや帽体の厚みについて不利になり、同程度の重量や寸法にすると安全性の面で問題があった。
【００１９】
こうした全頭型のヘルメットを合成樹脂によって整形するためには、二輪車乗車の際に用いる自動車用安全帽（自動車用安全帽の用語については、ＪＩＳＴ８１３３「自動車用安全帽」に準ずる）における「セミジェット型」あるいは「ジェット型」のように、正面から見た断面がΩ型になる形状にするのが通例である。
【００２０】
しかしながら、安全帽の一般的な材料である合成樹脂にこうした成形を行うには、通常産業用安全帽において用いられているマッチドメタルダイ成形（二枚の高炭素鋼などで作成した金属製の型の間に材料をはさみ、高圧で押し付けて成形し、出てきたものをそのまま製品にする成型方法）を、内側が広がっているために金型が引き抜けないことから行うことができない。このためバッグ成形（雌雄いずれか一方の型をゴムなどの弾性体のバッグとし、これに空気圧または液圧を用いて成形する方法）を用いるか、あるいは熱による二次加工を必要とした。なお、プラスチック成形に関する用語は、ＪＩＳ規格Ｋ７０１０「プラスチック−用語」による。
【００２１】
従って、このような全頭型のヘルメットにあっては、帽体の成形作業が繁雑である、という不具合が存している。
また、一般的に消防隊員の消防用安全帽には、剛性・耐熱性・耐久性に優れている９インチ程度の長繊維のガラス繊維強化プラスチックが用いられているが、長繊維を用いるためにはバッグ成形では困難であるため、高密度ポリエチレンやポリプロピレン、ポリカーボネート、短繊維強化プラスチックなどの強度や耐火性能的に劣るものを用いなければならず、消防用安全帽としては強度の面で安全とは言い難いものであった。
【００２２】
また、消防用安全帽についての日本国の安全基準はＪＩＳ規格が該当し、ＪＩＳ規格Ｔ８１３１にあっては、帽体外周の一部に帽体成形後、顔面保護板や照明をとりつけるための金具を取付けることは認められているが、恒久的な部品として所定の強度を以て外周全体に遮蔽布取り付け用の金具等を取り付けることは認められていない。これは落下物等が帽体に恒久的に取り付けられた突出物に当たった場合に衝撃が大きくなることを考慮したものである。このため消防用安全帽に遮蔽布を取り付ける際には、帽体内部の着装体の下端部を延接して遮蔽布取付部を形成し、この遮蔽布取付部に遮蔽布を取り付けるようにしている。
【００２３】
しかしながら、このようにして遮蔽布を取り付ける構造とした場合には、遮蔽布と帽体との間には若干の隙間が形成されるため、火災現場において装着者の姿勢により、つばが水平あるいは水平に近い傾斜となる際に対流熱や炎の侵入を許す可能性が存していた。
【００２４】
従って、請求項１記載の発明にあっては、火災現場において消防隊員の視界を妨げることがなく、また、消防隊員が空気ボンベを背中に装着した場合であっても消防隊員の姿勢を制限せず、活動に支障を及ぼさない消防用安全帽を提供することにある。
【００２５】
請求項２、３及び４記載の発明にあっては、請求項１記載の技術的課題に加えて、火災現場における上方から落下する落下水を効率よく帽体外方へ排水し、装着者の衣服内部へ水が浸入することがなく、遮蔽布を装着した場合には、遮蔽布を容易に固定しうる消防用安全帽を提供することにある。
【００２６】
請求項５記載の発明にあっては、装着者の首筋を落下物及び落下水から保護することができる消防用安全帽を提供することにある。
請求項６及び７記載の発明にあっては、顔面保護板を装着する場合であって顔面保護板を使用せずに作業を行う場合であっても、装着者の頭部及び首部に負担とならず、装着者の作業時の活動に影響を及ぼさないと共に、遮蔽布を装着して使用する場合に遮蔽布を容易に固定できる消防用安全帽を提供することにある。
【００２７】
請求項８記載の発明にあっては、装着者の耳を確実に保護しうると共に、火災現場において消防隊員の視界を妨げることがなく、また、消防隊員が空気ボンベを背中に装着した場合であっても消防隊員の姿勢を制限せず、活動に支障を及ぼさない消防用安全帽を提供することにある。
【００２８】
請求項９及び１０記載の発明にあっては、請求項８記載の発明の技術的課題に加えて、落下水から装着者を守ることができる消防用安全帽を提供することにある。
【００２９】
請求項１１及び１２記載の発明にあっては、請求項１０記載の技術的課題に加えて、顔面保護板の不使用時にも装着者の頭部及び首部に負担をかけず、行動に制限を加えることのない消防用安全帽を提供することにある。
【００３０】
請求項１３記載の発明にあっては、装着者の頭部の自由な挙動を妨げることのない遮蔽布を装着した消防用安全帽を提供することにある。
【００３１】
【課題を解決するための手段】
請求項１記載の発明にあっては、装着者の頭部を覆いうる帽体１１と、この帽体１１の前部に突設された前方つば部１２と、上記帽体１１の側部に形成されると共に前方つば部１２から延設され装着者の耳を覆いうる耳保護部１３と、上記帽体１１の後部に形成されると共に上記耳保護部１３に延設された後方つば部１４とを有し、上記前方つば部１２は装着者の上方視界を遮らないように形成されると共に、上記後方つば部１４は装着者が背中に空気呼吸器の空気ボンベを装着した場合に、装着者が首を後方に傾けた場合であっても空気ボンベに当接しないように形成されていることを特徴とする。
【００３２】
従って、請求項１記載の発明にあっては、装着者が消防用安全帽１０を装着した場合であっても、前方つば部１２は装着者の前方視界を遮ることがなく、常に良好な視界を確保することができる。また、装着者が空気ボンベを装備した場合に、例えば、上方を見るために首を傾けたような場合であっても、空気ボンベに当接せず、行動の自由を制限されることがない。
【００３３】
その結果、請求項１記載の発明にあっては、火災現場において消防隊員の視界を妨げることがなく、また、消防隊員が空気ボンベを背中に装着した場合であっても消防隊員の姿勢を制限せず、活動に支障を及ぼさない消防用安全帽が提供される。
【００３４】
請求項２記載の発明にあっては、上記前方つば部１２は斜め上方に突出するように形成され、上記耳保護部１３は後方つば部１４と一体に形成されると共に耳保護部及び後方つば部は上記帽体側方部及び後方部において斜め下方に突出して形成され、上記前方つば部１２よりも耳保護部１３及び後方つば部１４の方が幅広に形成され、上記前方つば部１２と耳保護部１３との間には、前方つば部１２に落下した消火用水を耳保護部へ導く排水部が形成され、上記前方つば部の上面部及び排水部１５は連続して形成され、顔面及び首の周囲を覆いうる遮蔽布２８を帽体１１に装着した場合には、装着者の顔面前部において遮蔽布２８を係止しうる係止部が形成されるていることを特徴とする。
【００３５】
また、請求項３記載の発明にあっては、上記排水部１５は、前方つば部１２から耳保護部１３へ斜めに下降する段部により形成されていることを特徴とする。
また、請求項４記載の発明にあっては、上記排水部１５は、前方つば部１２から耳保護部１３へかけて連続する平面により形成されている。
【００３６】
従って、請求項２，３及び４記載の発明にあっては、上方からの落下水は災現場における上方から落下する落下水を効率よく排水する消防用安全帽を提供することができる。また、請求項２記載の発明にあっては、遮蔽布２８を装着した場合であっても、容易に帽体１１に係止することできる消防用安全帽が提供される。
【００３７】
請求項５記載の発明にあっては、上記後方つば部１４は、装着者の首筋後側を被覆しうる角度に形成されていることを特徴とする。
従って、請求項５記載の発明にあっては、請求項１記載の効果に加えて、装着者の首筋を落下物及び落下水から保護することができる消防用安全帽を提供するができる。
【００３８】
請求項６記載の発明にあっては、上記帽体１１の内方前部には、顔面を覆いうる顔面保護板２１が内装されており、不要時には帽体内側に収納可能に形成されていると共に顔面保護板２１を引き下ろした場合には顔面を保護し、上記帽体１１に遮蔽布２８を装着した場合には、顔面保護板２１の下端部が遮蔽布２８の係止部を形成するように構成されていることを特徴とする。
【００３９】
請求項７記載の発明にあっては、上記顔面保護板２１の下端部には前方へ突出するつば部が形成され、上記顔面保護板２１が引き上げられた場合には上記つば部が上記前方つば部１２を形成すると共に顔面保護板２１が引き下げられた場合には上記つば部が遮蔽布係止部として形成されていることを特徴とする。
【００４０】
従って、請求項６及び７記載の発明にあっては、帽体に顔面保護板２１を装着する場合であって顔面保護板２１を使用せずに作業を行う場合であっても、装着者の頭部及び首部に負担とならず、装着者の作業時の活動に影響を及ぼさないと共に、遮蔽布２８を装着して使用する場合に遮蔽布２８を容易に固定できる消防用安全帽を提供することができる。
【００４１】
請求項８の発明にあっては、装着者の後頭部を覆いうる帽体１１と、この帽体１１前部に突設された前方つば部３２とを有し、帽体１１の後方下縁部は帽体上方へ湾曲する開口部３４を画成し、この後方下縁部には斜め上方へ突出する後方つば部３３が形成され、上記前方つば部３２と後方つば部３５との間には、装着者の耳の略全体を覆いうる耳保護部３６が形成されていることを特徴とする。
【００４２】
従って、請求項８記載の発明にあっては、火災現場において消防隊員の視界を妨げることがなく、また、消防隊員が空気ボンベを背中に装着した場合であっても消防隊員の姿勢を制限せず、活動に支障を及ぼさない消防用安全帽が提供される。また、さらに、装着者の耳を確実に保護しうる消防用安全帽を提供することができる。
【００４３】
請求項９記載の発明にあっては、顔面保護板３７が帽体外方に装着され、上記耳保護部３６には顔面保護板３７を回動可能に固定しうる固定部が設けられ、非使用時には顔面保護板３７が帽体３１の上部外方に配置されると共に、使用時には顔面保護板３７が上記固定部を中心に回動し、上記前方つば部３２に上端部が密接した状態で装着者の顔面の略全体を被覆し、上記耳保護部３６には、前方つば部３２に連設されると共に前方つば部３２に流下した消火用水を耳保護部３６へ導く排水部が形成されていることを特徴とする。
【００４４】
請求項１０記載の発明にあっては、上記顔面保護板３７は、帽体３１の内方に装着されていることを特徴とする。
従って、請求項９及び１０記載の発明にあっては、請求項７記載の発明の技術的課題に加えて、落下水から装着者を守ることができる消防用安全帽を提供することができる。
【００４５】
請求項１１記載の発明にあっては、上記顔面保護板３７は、帽体３１の内方に装着されていることを特徴とする。
請求項１２記載の発明にあっては、上記顔面保護板３７は帽体３１の外方に装着され、顔面保護板の下端部には前方へ突出するつば部が形成され、顔面保護板３７を上げた状態の場合には上記つば部が帽体の前方つば部３２を形成するように構成されている。
【００４６】
請求項１１及び１２記載の発明にあっては、請求項１０記載の技術的効果に加えて、顔面保護板３７の不使用時にも装着者の頭部及び首部に負担をかけず、行動に制限を加えることのない消防用安全帽を提供することができる。
【００４７】
請求項１３記載の発明にあっては、上記遮蔽布２８には、プリーツ４７が設けられていることを特徴とする。
請求項１３記載の発明にあっては、装着者の頭部の自由な挙動を妨げることのない遮蔽布を装着した消防用安全帽を提供することができる。
【００４８】
【発明の実施の形態】
本実施の形態に係る消防用安全帽１０にあっては、帽体１１と、この帽体１１の前部に突設された前方つば部１２と、上記帽体１０の側部に形成されると共に前方つば部１２から延設され装着者の耳を覆いうる耳保護部１３と、上記帽体１０の後部に形成されると共に上記耳保護部１３に延設された後方つば部１４とを有している。
【００４９】
上記前方つば部１２は所定角度を以て斜め上方に突出するように形成され、上記耳保護部１３は後方つば部１４と一体に形成されると共に耳保護部１３及び後方つば部１４は上記帽体側方部及び後方部において所定角度を以て斜め下方に突出して形成されている。上記前方つば部１２よりも耳保護部１３及び後方つば部１４の方が幅広に形成され、この耳保護部１３と後方つば部１４とにより首部側方及び後方を覆うスカート部が形成されている。
【００５０】
また、上記前方つば部１２と耳保護部１３との間には、前方つば部１２に落下した消火用水を耳保護部１３へ導く排水部１５が形成され、上記前方つば部１２の上面部１６及び排水部１５は連続して形成されている。
【００５１】
上記の前部つば１２は、側部方向へ落下物及び落下水を導くと同時に、顔面部分への落下物を防ぐ角度と長さを持ち、視界を主要部分について損なわない角度とすることが適当である。発明者の知見によれば、上記角度については水平０°以上上方４５°以下、長さについては１０ミリメートルを越えて４０ミリメートル以下（いずれも顔面の正面部分での値）が適当である。
【００５２】
さらに、空気呼吸器の着装時に顔に付けて呼吸を内部で行う面体は、上端の部分を顔面への密着性を高めるために上に凸の曲線としていることが多いため、前部つばの下辺１７を面体に合わせた曲線とすることが顔面保護の安全性と着装性の面から望ましい。
【００５３】
また、耳保護部１３については、耳に不快感を与えず、かつ上方からの投影面積においてつばを水平に設けたものに遜色のないことが必要である。発明者の知見によれば、頭部の運動性能や人体寸法の平均値から考えて、つばの長さは１０ミリメートル以上６０ミリメートル以下、角度については下方３０°を越えて６０°以下が適当であるものと思われる。
【００５４】
同じく一体つばのうち後方つば部１４については、例えば、上方を見るために頭部を後に傾けた際に空気呼吸器の空気ボンベに当たらないと共に落下物や落下水から装着者の首部を確実に保護できる角度を持ち、かつ上方からの投影面積について水平の場合に比し遜色のないものが適切である。このような観点から頭部の可動範囲、および現在使用されている空気ボンベの標準的な寸法を勘案すると、後方つば部１４の長さは２０ミリメートルから８０ミリメートル、角度は下方１０°以上６０°以下が効果的である。
【００５５】
本実施の形態に係る消防用安全帽１０にあっては、従来の消防用安全帽と比較した場合、上記前方つば部１２は短寸に形成されているが、耳保護部１３及び後方つば部１４は一体となって従来の消防用安全帽のつば部よりも長寸に形成されており、重量的には若干増加することとなるが、耳保護部１３及び後方つば部１４が下方に傾斜して形成されているため、消防用安全帽全体としての重心位置は大きく下方に移動することとなるためより安定し、着装時に装着者の頭部にかかる負担を軽減することができる。さらに、従来の消防用安全帽において設けられていた水平なつばとは異なり下方への傾斜角度を以て形成されていることから、火災現場において、落下物があった際の衝撃を逃がすことができ、落下物に対する衝撃性を向上させることができる。
【００５６】
さらに、つばの外縁部には逆Ｕ字型の縁取り部１８が形成され、水などの流体が消防用安全帽の内部に回り込んで帽体内側に入ろうとする接線応力を鈍化するように構成されている。なお、図中符号１９は帽体強度を確保するためのリブであり、図中符号２０はあご紐である。
【００５７】
また、本実施の形態に係る消防用安全帽１０にあっては、上記帽体１１内方前部には、顔面を覆いうる透明な樹脂製の顔面保護板２１が内装されており、不要時には帽体１１内側に収納可能に形成されていると共に顔面保護板２１を引き下ろした場合には装着者の顔面を保護し得るように構成されている。
【００５８】
この顔面保護板２１は、樹脂製のハンモック２２の裏面側において、一対の挟持片（図示せず）を設け、この一対の挟持片と帽体１１の内側壁との間で顔面保護板２１をスライド可能に挟持して設けられている。
【００５９】
本実施の形態に係る消防用安全帽１０を装着する際に、空気呼吸器２３を使用する場合には図５に示すように、顔面保護板２１の下方側からマスク部２４を挿入して装着する。
【００６０】
また、図６に示すように、帽体１１の内周に設けられた衝撃吸収ライナ２５の内方に配設されたハンモック２２の下端部が下方へ延接されて遮蔽布固定部２６が形成されている。この遮蔽布固定部２６はハンモック２２の下端部が帽体１１の外方へ接曲されて形成され、この遮蔽布固定部２６にはホック又はファスナ等の係止部２７が設けられ、このホック部２７に遮蔽布の周縁部に設けられた係止部を係合させることにより帽体１１に固定する。
【００６１】
この場合、帽体１１の下縁部と上記ハンモック２２に形成された遮蔽布固定部２６との間は幅が狭く形成されていることから、遮蔽布の上端部は帽体１１の耳保護部１３及び後方つば部１４と遮蔽布固定部２６との間に挟持されつつホック等の係合部により係合される形となり、単にホック等により固定する場合よりもより強固に帽体１１に固定されることとなる。
【００６２】
その結果、災害現場において不測の事態により遮蔽布の末端を引っかける等の事態により帽体１１から遮蔽布が外れてしまう、という事態を防止することができる。
【００６３】
また、一方で遮蔽布を交換するために取り外す時にも容易であり、  上記のように、遮蔽布は耳保護部１３及び後方つば部１４との間は密接することから、従来のように、つば部が水平となっている状態で火災現場における炎の侵入や対流熱の侵入があったが、遮蔽布と耳保護部１３及び後方つば部１４との間に間隙が形成されないことから、上記のような事態を有効に防止することができる。
【００６４】
なお、本実施の形態にあっては、排水部１５が段部を以て形成されている場合を例に説明したが、図７に示すように、上記排水部１５が段部ではなく、前方つば部１２と後方つば部１４にかけて連続する平面により形成されていてもよい。
【００６５】
このような構成とした場合には、前部つば部１２における流下水は円滑に後方つば部１４に導かれ、後方つば部１４から排水しうる。
また、図８及び図９に示すように、上記顔面保護板２１の下端部に前方へのつば部２７を設け、このつば部２７により帽体１１の前方つば部１２を形成するように構成してもよい。即ち、この実施の形態にあっては、前方つば部１２は顔面保護板２１と同様に透明に形成されており、図９に示すように、上記顔面保護板２１を引き上げた状態では、帽体１２の前方下端部において前方つば部１２を形成し、引き下げた状態では、図１０に示すように、つば部２７は遮蔽布２８の係止部を形成するように構成されている。
【００６６】
このように構成した場合には、顔面保護板３７の不使用時に顔面保護板３７を引き上げた場合には、上記透明なつば部２７が前方つば部１２を形成するため、装着者は斜め上方の視界をつば部２７からも得ることができ、良好な前方、上方視界を得ることができる。また、図１０に示すように、遮蔽布２８の装着時に、遮蔽布２８を接合部２９において接合して使用する場合に、接合部２９及び遮蔽布２８の前側被覆片３０，３０の上端部を、上記つば部２７に係止することができる。その結果、遮蔽布２８の略全体に亘り消防用安全帽１０に固定することができ、上記実施の形態に比してより強固に遮蔽布２８を固定することができる。
【００６７】
従って、消防隊員が遮蔽布２８を装着して火災現場において激しく動きながら消火作業を行った場合であっても、遮蔽布２８が上記つば部２７に係止されているため、遮蔽布２８は帽体１１と一体となって装着されているため外れにくい。
【００６８】
また、図１１及び図１２に示すように、上記８乃至１０図に示す実施の形態に係る消防用安全帽１０にあっても、前期同様に排水部１５を段差により形成することなく、前方つば部１２から後方つば部１４へ連続する平面により形成されていてもよい。このような場合には、前記同様に前方つば部１２の落下水は排水部１５により後方つば部１４へ排水される。
【００６９】
従って、本実施の形態に係る消防用安全帽１０にあっては、装着者が消防用安全帽を装着した場合であっても、前方つば部は装着者の前方視界を遮ることがなく、常に良好な視界を確保することができる。また、装着者が空気ボンベを装備した場合に、例えば、上方を見るために首を後方へ傾けたような場合であっても、上記後方つば部１４は首と空気ボンベとの間の空隙に滑り込み、空気ボンベに当接せず、行動の自由を制限されることがない。
【００７０】
その結果、本実施の形態に係る消防用安全帽にあっては、火災現場において消防隊員の視界を妨げることがなく、また、消防隊員が空気ボンベを背中に装着した場合であっても消防隊員の姿勢を制限せず、活動に支障を及ぼさない消防用安全帽が提供される。
【００７１】
また、耳保護部１３及び後方つば部１４は下方へ傾斜して形成されていることから、落下水を装着者の衣服内に浸入させることなく効果的に排水できると共に、従来の消防用安全帽の場合のように水平のつば部に比して、上方からの落下物に対しても衝接した際の衝撃を緩和することができる。
【００７２】
図１３乃至図２２は本発明に係る消防用安全帽の第二実施の形態を示す。
本実施の形態に係る消防用安全帽３０は、全体がいわゆるジェット型もしくはセミジェット型のヘルメットとして形成されており、帽体３１を有し、この帽体３１の前部には前方つば部３２が突設されている。そして、上記帽体３１の後方下縁部３３は帽体３１上方へ湾曲する開口部３４を画成し、この後方下縁部３３には斜め上方へ突出する後方つば部３５が形成され、上記前方つば部３２と後方つば部３５との間には、装着者の耳の略全体を覆いうる耳保護部３６が形成されている。
【００７３】
従って、本実施の形態に係る消防用安全帽３０にあっては、帽体３１が、装着者の頭部の内、顔面及び延髄より下方の頚部を除いた頭部及び首部を覆うことができる。
【００７４】
本実施の形態に係る消防用安全帽３０にあっては、着装者の頭部を直接保護する部分が、従来の消防用安全帽および産業用安全帽においては眉間を含む水平面であったのに対して、耳介部及び後頭部を保護することができ、保護部分の割合を著しく向上させている。その結果、一般に安全帽を用いている労働環境よりも落下物等の危険が格段に大きく、また危険の事前予知が難しい災害現場において、頭部の保護の程度を高めることができる。
【００７５】
また、本実施の形態に係る消防用安全帽３０は、図１５に示すように、比較的類似している乗車用のジェット・セミジェット型の安全帽が一般に断面がΩ字型となっているのに対して、逆Ｕ字型に近いの帽体３１の断面を有している。通常、乗車用の安全帽は、前述のとおり、凹型の、高炭素鋼等でできた金型に樹脂を入れて、合成樹脂等でできた風船状の凸型を挿入し、空気を入れて成型するバッグ成形を用いて製造されている。また、ＪＩＳ規格における乗車用安全帽の基準では、「曲率半径７５ミリメートル以上の連続した曲面」という制限が加えられているため、耳介部を考えると連続球面からは大きく外れる人頭を上方に膨らんだ連続曲面で覆う構造になっている。
【００７６】
これに対し、消防用安全帽にあっては、強度および耐久性に関する要求基準が厳しいため、成型時に樹脂により高い圧力をかけることが必要であり、特に長繊維のガラス繊維強化プラスチック（ＦＲＰ）の場合にはプリフォームと呼ばれるガラス繊維の事前成型を行い、帽体に近い形のガラス繊維型を成形前に作成した上でこれを樹脂の中に収めることができる凹凸両面の金属製の金型を用いているため、開口部に対してすぼまったΩ型を作成するにはコストが嵩む特殊な構造の金型を用いるか、金型から外した後に加熱や薬品等による変形を行わねばならず、耐久性等を考えると効果的な手段ではない。
【００７７】
しかしながら、本実施の形態に係る消防用安全帽３０にあっては、下方に向かってほぼ逆Ｕ字型の帽体３１の断面形状となっているために従来とほぼ同じ技術によるプリフォームと凹凸両面の金属製の金型を用いて成型することが可能である。また、こうしたメタルマッチドダイ加工は一般的に成形可能な合成樹脂のほとんどに適用可能であるため、どのような樹脂を材料に選定した場合でも、特異な技術や材料を必要とせず、比較的安価に、求める形態を満たして十分な強度の消防用安全帽を提供することができる。
【００７８】
耳保護部３６は、曲面で設けることが可能であり、下方投影面積については、従来の消防用安全帽における水平に形成されたつばの場合と変わらず、落下物や落下水に対する防護性能は劣らない。
【００７９】
さらに、逆Ｕ字型の断面を持つ形態を採用することにより、頭部側面において帽体３１との間に若干の余裕ができるため、空気呼吸器用面体のうち消防隊員の多くが用いている全面型のものを組み合わせて用いたとき、締めつけバンド等が消防用安全帽を着装する際の障害とならない。
【００８０】
また、後部つば部３５は、前部つば部３２に比して短く形成されているが、これは帽体３１が後頭部を大きく被覆した構造となっているため、後頭部保護の観点からは何ら問題はない。この後部つば部３５は、 平均的な寸法の空気呼吸器の空気ボンベを想定し、装着者が頭を後方に傾けても背中に装備した空気ボンベに当接しない状態を考慮した場合、角度は水平から下方３０°まで、長さは５０ミリメートル以下が望ましい。従って、全体としてつば部が短寸に形成されているため、従来の消防用安全帽とは異なり、バランスが良く、装着者の頭部の十分かつ自由な運動性を確保することができる。
【００８１】
また、本実施の形態においては、図１６に示すように、顔面保護板３７が外装されている。この顔面保護板３７は前期実施の形態の場合に比して大型に形成されており、装着者の顔面の全体をあごの下方まで完全に覆いうるように形成されている。この顔面保護板３７は、上記耳保護部３６，３６に両端部３９，３９が回動可能に軸支されて固定されている。
【００８２】
また、上記顔面保護板３７の上縁部にはゴム製のストリップ部３８が設けられ、顔面保護板３７が引き下ろされた場合には、図１８に示すように、上記前方つば部３２の周縁部にストリップ部３８が密接して、落下水の顔面保護板３７内部への浸入を防止できるように構成されている。
【００８３】
なお、耳保護部３６が耳全体を覆うことによる聴覚への影響は、図１５に示すように、耳孔の周囲のみ緩衝材２５を装着しないことにより最小限にすることが可能であり、緩衝剤２５を耳保護部３６に内装しない場合であっても、耳保護部そのものの被覆面積は小さいため安全上の問題は生じない。
【００８４】
また、本実施の形態にあっては、上記顔面保護板３７は、両端部３９，３９が軸部４１により耳保護部３６，３６に回動可能に固定され、顔面保護板３７には所定の曲率を以てガイド溝４３が形成されると共に、このガイド溝４３内に配置され、両端に爪部４５，４５を有する係合爪部４２が設けられ、ガイド溝４３の両端部には、固定孔部４４，４６が設けられている。従って、上記顔面保護板３７を引き下ろして使用する場合には、上記係合爪部４２が上記ガイド溝４３内を相対的に移動し、係合爪部４２の一方の爪部４５が一方の固定孔部４６に係合することにより顔面保護板３７を使用位置において固定する。また、帽体３１上に跳ね上げて使用する場合には、上記ガイド溝４３内を係合爪部４２が相対的に移動し、上記同様に係合爪部４２が、上記ガイド溝４２内を相対的に移動し、他方の爪部４５が他方の固定孔部４４に係合することにより顔面保護板３７を非使用位置に固定するものである。
【００８５】
なお、顔面保護板３７の耳保護部３７，３７への固定手段は、上記実施の形態に限定されず、例えば、図２１に示すように、軸部４１及び固定用のスプリング４４を用いて両端部３９，３９を耳保護部３６，３６に圧接固定するように取り付けてもよい。このように構成した場合には、上記顔面保護板３７は特に固定手段を設けることなくいずれの位置においても固定可能に取り付けることが可能である。また、同様に図２２に示すように、軸部４１に自在爪車４５を設けても良い。
【００８６】
また、本実施の形態に係る消防用安全帽３０においては、耳保護部３６の下端部にはつばが設けられていないが、これは耳保護部３６の膨出形状によって落下物や落下水があった場合であっても、これらの円滑に回避しうるように構成しているものであり、この耳保護部３６の下端部は、消防隊員が災害現場で着用する「防火衣」と呼ばれる保護衣の襟部分と重複するものである。
【００８７】
また、本実施の形態に係る消防用安全帽３０にあっては、上記のように、顔面保護板３７が引き下ろされた場合には、上記前方つば部３２の周縁部に密接するように構成されているため、顔面からやや離れた位置に配置されるものであるため、顔面前方には所定間隔の空隙が形成され、
図１９に示すように、空気呼吸器２３を顔面に装着する場合であっても、面体を装着した状態で顔面保護板３７を引き下ろして使用することができる。
【００８８】
従って、本実施の形態に係る消防用安全帽３０にあっては、前記実施の形態に係る消防用安全帽１０とは異なり、装着者の後頭部までを覆いうるように形成されているため、より充分に頭部を保護することが可能となる。また、前方つば部３２は前記実施例と同様に短寸に形成されているため、本実施例に係る消防用安全帽３０を着用した場合に、前方視界及び上方視界が妨げられることはない。また、遮蔽布を着用した場合であっても、上記のように顔面保護板３７が大型に形成され、顔のあごの部分までも充分に被覆しうるように形成されているため、前期同様に、遮蔽布の接合部分を顔面保護板３７の下端部に容易に係止することができる。この場合、遮蔽布の接合部分を係止する位置は、前記実施の形態における場合よりも顔面保護板３７が大型に形成されていることからより下方の位置となり、その結果、より前方下方視界の良好な消防用安全帽を提供することができる。
【００８９】
また、上記のように後部つば部３５が短寸に形成され、この後部つば部３５は斜め上方へ突出して形成されているため、装着者が空気ボンベを装備していた場合で装着者が、例えば、上方を向くために首を後方へ傾けた場合であっても、上記後方つば部３５は首と空気ボンベとの間の空隙に収まり、空気ボンベを当接することはない。従って、装着者は空気ボンベに規制されることなく首を自由に動かすことができ、不自由なく行動して消火作業にあたることができる。
【００９０】
また、前期実施の形態に係る消防用安全帽１０とは異なり、帽体３１が装着者の後頭部を覆いうるように形成されていると共に両側部には耳保護部３６，３６が設けられていることから、重心位置がより下方にあり、加えて、前方つば部３２及び後方つば部３５は短寸に形成されていることから、装着した場合に安定し、頭部の上半部に作用するモーメントは小さく、装着者の運動性は非常に良好なものとなる。
【００９１】
さらに、図１４に示すように、上記耳保護部３６は帽体３１の外周面部から幅方向に膨出して形成されており、装着者の耳全体を完全に被覆しうるように形成されている。従って、本実施の形態に係る消防用安全帽３０にあっては、耳保護部３６が形成されていることから、装着者はより安全に消火作業を行うことができる。
【００９２】
また、図１５に示すように、耳保護部３６，３６及び後方つば部３５の内方側部には遮蔽布固定部４６が設けられており、この遮蔽布固定部４６に遮蔽布２８の係止部を固定させることにより消防用安全帽３０に遮蔽布２８を固定しうるように構成されている。本実施の形態にあっては、図２２に示すように、上記遮蔽布固定部２８は両面ファスナーにより形成されており、遮蔽布４８の上端部にも同様に両面ファスナーが設けられている。従って、遮蔽布４８を装着する場合には、遮蔽布４８の固定部を遮蔽布固定部４８に取り付けて固定する。
【００９３】
本実施の形態に係る遮蔽布４８にあっては、図２２及び図２３に示すように、複数のプリーツ４７が形成されている。このように遮蔽布４８に複数のプリーツ４７が形成された場合には、適宜、首や肩の形状に適合し、また首の運動時等に隙間が生じることがなく、落下水、火炎、輻射熱等から首や肩部を防護することができる。
【００９４】
上記プリーツは、図２４乃至２５においてはアコーディオン・プリーツ５０を遮蔽布４９に設けた場合を示す。図２５に示すように、このようなプリーツ５０は、遮蔽布４９の下端部において三角錘状のプリーツを形成したものである。このようなプリーツ５０が複数形成された場合には、図２６に示すように、遮蔽布４９は余裕を以て形成されているため、装着者の首や頭部の動きに合わせて、適宜、遮蔽布４８が追随し、遮蔽布４９が装着者の首や頭部から遮蔽布４８が離れることがない。また、このようなプリーツは上記アコーディオン・プリーツに限定されず、図２７及び図２８に示すように、遮蔽布４９にカートリッジ・プリーツ５１を形成してもよい。
【００９５】
更に、平型プリーツ、箱型プリーツ、シーガレット・プリーツ、あるいはこれらの組み合わせによることができる。また、図面においては左右肩の上部２ヵ所にプリーツ（３２）を設けているが、後述の使用する布地の材質、および使用状況によって１ヵ所以上複数箇所に設けることができる。（用語および縫製形態の定義等については、ＪＩＳ規格Ｌ１０６０及びこれにかかわる定義等による）
このようにプリーツを設けた遮蔽布を上記第一の実施の形態に係る消防用安全帽１０に装着した場合には、遮蔽布の開閉によって生じる首や肩との間の隙間が無くなり、密着による防護を高めることができる。また、第二の実施の形態に係る消防用安全帽３０に装着した場合には、帽体３１が首に近接しているために生じる窮屈さを解消することができる。また、いずれの形態と組み合わせた場合でも、頭部の動きに追随して形状が変化するために、単なる一枚布であった従来の遮蔽布に比べて著しく着装性がすぐれている。
【００９６】
上記遮蔽布２８，４８にあっては、アラミド繊維などの防火繊維で柔軟性の低いもの、およびその積層体については、熱変形等の加工性に欠けるため、従来、プリーツ（３２）の入ったものは作成されていなかった。しかし、図２４及び図２７に示すように、消防用安全帽との接合部に、ホック部２７等の金具や面ファスナー５２等の適宜の接合用具を取り付けるために同じ種類の布地を上から当てて縫い付ける際に、一般に「つまみ」５３と呼ばれる布地の折り返しを付けることでカートリッジ・プリーツのような折り目の弱いプリーツは作成が可能であり、アコーディオン・プリーツのような折り目のはっきりしたものについては、防火性の繊維を用いて、一般に「しつけ」５４と呼ばれる縫い目をつけることで可能となる。
【００９７】
また、遮蔽布（３１）は、上記第二の実施の形態に係る消防用安全帽３０と組み合わせる際には、前面の被覆が顔面保護板３７により行われるために、この部分を必要としない。第一の実施の形態に係る消防用安全帽１０と組み合わせる際には、図２４及び図２６に示すように、遮蔽布４９に複数のホック部２７を設け、接合部２９を折り曲げておき、必要な場合には、接合部２９内方に設けられた面ファスナー５２により顔面前部において接合して固定し、顔面の保護を図るものである。
【００９８】
上記各図においては、第一の実施の形態の消防用安全帽１０に、ホックとアコーディオン・プリーツを組み合わせたものを、第二の実施の形態に係る消防用安全帽３０に面ファスナーとカートリッジ・プリーツを組み合わせたものを例示しているが、これらは組み合わせの限定するものではない。
【００９９】
以下、上記実施の形態に係る消防用安全帽１０，３０の使用状態について説明する。
第一の実施の形態の消防用安全帽１０に遮蔽布２８を装着して使用する場合には、まず遮蔽布２８を、ハンモック２２に延設された遮蔽布固定部２６の弾性変形を利用して帽体１１との間に取付ると共に、遮蔽布固定部２６裏面側に設けられたホック部２７に遮蔽布２８に設けられたホック部を係合させて固定する。
その後、帽体１１を手に持ち頭にかぶってあごひも２０を締めつけ、頭部に固定して使用する。危険度が高いと判断される場合には、前方つば部１２を片手でささえてもう一方の手で顔面保護板２１を引き下ろし、遮蔽布２８の接合部２９を延ばして前面で面ファスナー２９を使用して接合して用いる。
【０１００】
自給式の空気呼吸器２３を用いるときは、顔面保護板２１を収納し、一度、あごひも２０をゆるめて遮蔽布２８の接合を外し、消防用安全帽全体を後ろに倒し、面体を着装したあとで面体上部の曲線に前方つば部１２の下辺部１７を密着させ、消防用安全帽１０をかぶりなおし、遮蔽布２８の接合部２９を再び接合し密着させる。
【０１０１】
第二の実施の形態の消防用安全帽３０に遮蔽布２８を装着して使用する場合には、まず遮蔽布２８を帽体３１の下縁部に装着したあと、帽体３１を手にもちあごひも２０を締めつけ、頭部に固定して使用する。その後顔面保護板３７を引き下ろし、特に支障のない場合にはそのまま使用する。自給式の空気呼吸器を２３用いるときは、顔面保護板３７をはね上げ、あごひも２０をゆるめて消防用安全帽３０全体を後ろにたおし、面体を着装した上で消防用安全帽３０をかぶりなおし、顔面保護板３７を下ろして密着させる。
【０１０２】
なお、上記の二形態においては美観および構造等の検討から消防用安全帽のリブ（１９）・（２９）と呼ばれる縦方向の盛り上がりを、第一の形態においては断面を半円形にして、第二の形態においては偏平な長方形にして設けており、第三の形態については重量の軽減のため設けないようにしているが、図２０から２２のように、剛性を重んじて細いリブにしたり、あるいはこれを複数または複数方向に向けて設置してもよい。
【０１０３】
また、つばの周囲の落下水防止については、図２３から２５のように、帽体の縁部に逆Ｕ字型の縁取りを設ける方法、縁部分を丸く太い成型にしておく方法、ブチルゴム等の耐熱樹脂によって外周緩衝を用いる方法のいずれにしてもよい。
【０１０４】
なお、上記第２の実施の形態に係る消防用安全帽３０においては、顔面保護板３７が外装されている場合を例に説明したが、上記実施の形態に限定されず、図２９乃至図３１に示すように、顔面保護板３７を内装したものであってもよい。
この実施の形態に係る消防用安全帽５４にあっては、顔面保護板３７が耳保護部３６，３６の内方において回動可能に固定されていると共に、顔面保護板３７の下端部には透明なつば部５５が一体に突設され、顔面保護板３７が引き上げられた場合、このつば部５５が、帽体３１の前部に小さく形成されたつば部５８と共に前方つば部５６を形成するように構成されている。
【０１０５】
このように構成された場合には、前記実施の形態同様に、顔面保護板３７を使用しない場合で顔面保護板３７を引き上げて上記つば部５８に連接させて使用した場合には、つば部５５が透明に形成されているため、装着者は良好な前方及び上方視界を確保することができる。また、顔面保護板３７を引き下ろして使用した場合には、上記つば部５５は、遮蔽布４８の係止部６０を兼ねることができる。その結果、本実施の形態に係る消防用安全帽５４においては、顔面保護板３７が内装されていることから、顔面保護板３７を使用しない状態においても、顔面保護板３７を外装にした場合とは異なり、帽体３１の上方へは突出しないため、重心位置が変わることもなく、装着者は頭部及び首部に負担を覚えることなく、火災現場において迅速に行動することができる。なお、図３１に示した実施の形態にあっては、耳保護部５７の上縁部が帽体３１の前方に形成された上記つば部５８に連続するように形成されている。この耳保護部５７の上縁部が落下水の排水部５９を形成し、落下水を耳保護部５７後方に導き得るように構成されている。
【０１０６】
さらに、図３２乃至３５に示すように、顔面保護板３７を外装にした場合であって、上記同様に顔面保護板３７の下端部に前方へ突出するつば部６２を形成し、このつば部６２により、顔面保護板３７を帽体３１上に跳ね上げた場合には帽体３１に形成されたつば部６３と共に、前方つば部６４を構成してもよい。この場合、上記同様に、顔面保護板３７を引き下げて使用した場合には、上記つば部６２は遮蔽布の係止部として使用することができる。この場合も同様に、上記耳保護部５７の上縁部を上記つば部６３に連設させ、落下水の排水部５９を構成することもできる。
【０１０７】
上記のように顔面保護板３７の下端部に設けられたつば部５５，６２により前方つば部を形成するように構成した場合には、顔面保護板３７を使用しない場合には、帽体３１の前方つば部は非常に小さなものとなると共につば部６２は透明に形成されていることから、より良好な前方及び上方視界を確保することができる。
【０１０８】
また、各実施の形態におけるつば部の端部は、上方からの落下水が帽体内部へ入り込まないように、図３６乃至３８に示す断面形状を形成しうる。即ち、図３６においては、後方つば部１４，３５の端部６６は断面Ｕ字状に形成され、図３７においては、後方つば部１４，３５の端部６６は断面円形状に形成され  また、図３８おいては、後方つば部１４，３５の端部６６にはブチルゴム等の耐熱性の樹脂からなる緩衝部材６７が固定されている。
【０１０９】
さらに、帽体１１，３１に形成されるリブ１９は図３９乃至４１図に示すように、太いリブとして形成してもよく、また、交差して設けても良くさらに、細いリブとして形成してもよく、上記実施の形態に限定されない。
【０１１０】
【発明の効果】
請求項１記載の発明にあっては、火災現場において消防隊員の視界を妨げることがなく、また、消防隊員が空気ボンベを背中に装着した場合であっても消防隊員の姿勢を制限せず、活動に支障を及ぼさない消防用安全帽が提供される。
【０１１１】
請求項２、３及び４記載の発明にあっては、請求項１記載の効果に加えて、火災現場における上方から落下する落下水を効率よく排水する消防用安全帽を提供することができる。また、遮蔽布を装着した場合であっても、容易に帽体に係止することができ、遮蔽布を装着した場合であっても、作業中に遮蔽布が外れにくい消防用安全帽を提供することができる。
【０１１２】
請求項５記載の発明にあっては、請求項１記載の効果に加えて、装着者の首筋を落下物及び落下水から保護することができる消防用安全帽を提供することができる。
【０１１３】
請求項６及び７記載の発明にあっては、請求項１記載の発明の効果に加えて、顔面保護板を装着する場合であって顔面保護板を使用せずに作業を行う場合であっても、装着者の頭部及び首部に負担とならず、装着者の作業時の活動に影響を及ぼさないと共に、遮蔽布を装着して使用する場合に遮蔽布を容易に固定できる消防用安全帽を提供することにある。
【０１１４】
請求項８記載の発明にあっては、装着者の耳を確実に保護しうる消防用安全帽を提供することができる。また、火災現場において消防隊員の視界を妨げることがなく、また、消防隊員が空気ボンベを背中に装着した場合であっても消防隊員の姿勢を制限せず、活動に支障を及ぼさない消防用安全帽が提供される。
【０１１５】
請求項９及び１０記載の発明にあっては、請求項８記載の発明の効果に加えて、落下水から装着者を守ることができる消防用安全帽を提供することにある。
請求項１１及び１２記載の発明にあっては、請求項１０記載の効果に加えて、顔面保護板の不使用時にも装着者の頭部及び首部に負担をかけず、行動に制限を加えることのない消防用安全帽を提供することにある。
【０１１６】
請求項１３記載の発明にあっては、請求項１記載の発明の効果に加えて、装着者の頭部の自由な挙動を妨げることのない遮蔽布を装着した消防用安全帽を提供することができる。
【図面の簡単な説明】
【図１】本発明に係る消防用安全帽の第一の実施の形態の側面図である。
【図２】本発明の消防用安全帽の第一形態の斜視図である。
【図３】本発明の消防用安全帽の第一形態における顔面保護板の使用時の図である。
【図４】本発明の消防用安全帽の第一形態における前部つば部と耳保護部部との接合部分の拡大図である。
【図５】本発明の消防用安全帽の第一形態で、呼吸器の面体を着装した場合の使用状態を下から見上げた図である。
【図６】本発明の消防用安全帽の第一形態の帽体の断面図である。
【図７】本発明の消防用安全帽の他の実施の形態を示す側面図である。
【図８】本発明の消防用安全帽の他の実施の形態を示す斜視図である。
【図９】本発明の消防用安全帽の他の実施の形態を示す斜視図である。
【図１０】本発明に係る消防用安全帽の一実施の形態に遮蔽布を装着した状態を示す斜視図である。
【図１１】本発明に係る消防用安全帽の一実施の形態に遮蔽布を装着した状態を示す斜視図である。
【図１２】本発明に係る消防用安全帽の一実施の形態に遮蔽布を装着した状態を示す斜視図であって、顔面保護板を引き下げた状態を示す図である。
【図１３】本発明の消防用安全帽の第二の実施の形態で、顔面保護板（２４）を上げた図である。
【図１４】本発明の消防用安全帽の第二の実施の形態で、顔面保護板を上げた斜視図である
【図１５】本発明の消防用安全帽の第二の実施の形態を示す断面図である
【図１６】本発明の消防用安全帽の第二の実施の形態で、顔面保護板を上げた側面図である
【図１７】本発明の消防用安全帽の第二の実施の形態で、顔面保護板を下げた側面図である
【図１８】本発明の消防用安全帽の第二の実施の形態で、顔面保護板を下げた斜視図である
【図１９】本発明の消防用安全帽の第二の実施の形態で、顔面保護板を下げ、空気呼吸器を装着した斜視図である。
【図２０】本発明の消防用安全帽の第二の実施の形態で、顔面保護板の取り付けに自在爪車構造を装着した図である。
【図２１】本発明の消防用安全帽の第二の実施の形態で、顔面保護板の取り付けにバネ構造を取り入れた図である。
【図２２】本発明の消防用安全帽の第二の実施の形態で、顔面保護板の取り付けにノッチ構造を取り入れた場合の図である。
【図２３】本発明の遮蔽布のうち、消防用安全帽の第二の実施の形態への取り付けた状態を示す側面図である。
【図２４】第二の実施の形態の消防用安全帽に遮蔽布をつけ、空気呼吸器の面体を着装して前面の接合部を閉じた状態を示す使用図である。
【図２５】本発明の遮蔽布のうち、消防用安全帽の第二形態への取り付けを考慮したものの側面図である。
【図２６】遮蔽布にしつけを付けて製造する場合の構成図である。
【図２７】遮蔽布を消防用安全帽の第一の実施の形態に取り付けた使用図である。
【図２８】遮蔽布にしつけを付けて製造する場合の構成図である。
【図２９】第二形態の消防用安全帽に遮蔽布をつけ、空気呼吸器の面体を着装した状態を示す使用図である。
【図３０】第二の実施の形態に係る消防用安全帽の変形例を示す側面図である。
【図３１】第二の実施の形態に係る消防用安全帽の変形例を示す側面図である。
【図３２】第二の実施の形態に係る消防用安全帽の変形例を示す側面図である。
【図３３】第二の実施の形態に係る消防用安全帽の変形例を示す側面図である。
【図３４】第二の実施の形態に係る消防用安全帽の変形例を示す側面図である。
【図３５】第二の実施の形態に係る消防用安全帽の変形例を示す側面図である。
【図３６】第二の実施の形態に係る消防用安全帽の変形例を示す側面図である。
【図３７】消防用安全帽の縁部分の逆Ｕ字型加工を施した図である。
【図３８】消防用安全帽の縁部分の丸形加工を施した図である。
【図３９】消防用安全帽の外周緩衝を取り付けた実施例の図である。
【図４０】消防用安全帽の頭部に細いリブを一方向に向けて設けた実施例の図である。
【図４１】消防用安全帽の頭部に細いリブを平行に複数設けた実施例の図である。
【図４２】消防用安全帽の頭部にリブを交差して複数方向に設けた実施例の図である。
【符号の説明】
１０  消防用安全帽              １１  帽体
１２  前方つば部                １３  耳保護部
１４  後方つば部                １５  排水部
１６  上面部                    １７  下辺
１８  縁取り部                  １９  リブ
２０  あご紐                    ２１  顔面保護板
２２  ハンモック                ２３  空気呼吸器
２４  マスク部                  ２５  衝撃吸収ライナ
２６  遮蔽布固定部              ２７  ホック部
２８  遮蔽布                    ２９  接合部
３０  消防用安全帽              ３１  帽体
３２  前方つば部                ３３  後方下縁部
３４  開口部                    ３５  後方つば部
３６  耳保護部                  ３７  顔面保護板
３８  ストリップ部              ３９  両端部
４０  前側被覆片                ４１  軸部
４２  係合爪部                  ４３  ガイド機構
４４  スプリング                ４５  自在爪車機構
４６  遮蔽布固定部              ４７  プリーツ
４８  遮蔽布                    ４９  遮蔽布
５０  アコーディオン・プリーツ  ５１  カートリッジ・プリーツ
５２  面ファスナー              ５３  つまみ
５４  消防用安全帽              ５５  つば部
５６  前方つば部                ５７  耳保護部
５８  つば部                    ５９  排水部
６０  係止部                    ６２  つば部
６３  つば部                    ６４  前方つば部
６５  排水部                    ６６  端部
６７  緩衝部材
【図１】
0004559578.tif 000002
【図２】
0004559578.tif 000003
【図３】
0004559578.tif 000004
【図４】
0004559578.tif 000005
【図５】
0004559578.tif 000006
【図６】
0004559578.tif 000007
【図７】
0004559578.tif 000008
【図８】
0004559578.tif 000009
【図９】
0004559578.tif 000010
【図１０】
0004559578.tif 000011
【図１１】
0004559578.tif 000012
【図１２】
0004559578.tif 000013
【図１３】
0004559578.tif 000014
【図１４】
0004559578.tif 000015
【図１５】
0004559578.tif 000016
【図１６】
0004559578.tif 000017
【図１７】
0004559578.tif 000018
【図１８】
0004559578.tif 000019
【図１９】
0004559578.tif 000020
【図２０】
0004559578.tif 000021
【図２１】
0004559578.tif 000022
【図２２】
0004559578.tif 000023
【図２３】
0004559578.tif 000024
【図２４】
0004559578.tif 000025
【図２５】
0004559578.tif 000026
【図２６】
0004559578.tif 000027
【図２７】
0004559578.tif 000028
【図２８】
0004559578.tif 000029
【図２９】
0004559578.tif 000030
【図３０】
0004559578.tif 000031
【図３１】
0004559578.tif 000032
【図３２】
0004559578.tif 000033
【図３３】
0004559578.tif 000034
【図３４】
0004559578.tif 000035
【図３５】
0004559578.tif 000036
【図３６】
0004559578.tif 000037
【図３７】
0004559578.tif 000038
【図３８】
0004559578.tif 000039
【図３９】
0004559578.tif 000040
【図４０】
0004559578.tif 000041
【図４１】
0004559578.tif 000042
【図４２】
0004559578.tif 000043